(57)【要約】【課題】第１には、埋設穴の切削面積が少ない場合でも従来のものより簡単かつ確実に地表面に対し鋭角に打ち込むことができ、第２には、さらに抵抗板とは別に安定板の打込みを不要にして作業性を向上させつつより高い耐張力を得ることができる支線打込アンカを提供すること。【解決手段】ロッド部１１は、一端部が支線に連結される一方、他端部はアンカ本体部１２の基部と回動可能に連結され、アンカ本体部１２は、抵抗板本体１２ａと、内側補強板１２ｂと、外側補強板１２ｃとを備え、第１打撃部１２ｃ１１を外側補強板１２ｃに設ける一方、第１打撃部１２ｃ１１の次に打撃される第２打撃部１２ｂ１１を第１打撃部１２ｃ１１よりも高い位置に設けた。【選択図】図５
2015214847.tif 000002
【特許請求の範囲】
【請求項１】
電柱等の地上起立体の倒伏を防止するため、地上起立体と地面とを支線によって連結する場合に打込工具によって打込まれ、地中に埋設される支線打込アンカであって、
ロッド部と、アンカ本体部とを有し、
前記ロッド部は、
前記支線に連結される上部連結部と、
前記アンカ本体部に連結される下部連結部とを有する一方、
前記アンカ本体部は、
外側が凸形状となるように湾曲した抵抗板本体と、
その抵抗板本体の内側から起立して設けられ、前記ロッド部の他端部が回転可能に支持された内側補強板と、
その抵抗板本体の外側から起立して設けられた外側補強板とを有し、
打込工具によって先に打撃される第１打撃部を前記外側補強板に設ける一方、
前記第１打撃部の次に打撃される第２打撃部を前記第１打撃部よりも高い位置に設けたことを特徴とする支線打込アンカ。
【請求項２】
請求項１記載の支線打込アンカにおいて、
前記第２打撃部は、
前記内側補強板の上端部に設けたことを特徴とする支線打込アンカ。
【請求項３】
請求項１または請求項２記載の支線打込アンカにおいて、
前記アンカ本体部には、さらに、
地中への打込み時には前記アンカ本体部に近接して閉じ状態にあり、
地中に埋設され地中から抜ける方向に引っ張られた場合には地中の土砂等が抵抗になって開く可動式抵抗板が設けられていることを特徴とする支線打込アンカ。
【請求項４】
請求項３に記載の支線打込アンカにおいて、
前記アンカ本体部の外側補強板には、
前記抵抗板本体の外側面と前記外側補強板との接合点を中心とし、かつ、円弧側が上部側となる扇形状の扇形開口部が形成されており、
前記可動式抵抗板は、
その中央にスリットが形成されており、前記扇形開口部に装着した際にはそのスリットが外側補強板に遊嵌して前記扇形開口部に可動式に嵌め付けられており、地中への打込み時には前記アンカ本体部に近接して閉じ、地中に埋設され地中から抜ける方向に引っ張られた場合には地中の土砂等が抵抗になって開くことを特徴とする支線打込アンカ。
【発明の詳細な説明】
【技術分野】
【０００１】
本発明は、例えば電柱等の地上起立体の倒伏を防止するため、地上起立体と地面とを支線によって連結する場合に打込工具によって打込まれ、地中に埋設される支線打込アンカに関する。
【背景技術】
【０００２】
電柱等の地上起立体の倒伏を防止するため、地上起立体と地面とを支線によって連結する場合に打込工具によって打込まれ、地中に埋設される支線打込アンカとして、例えば、埋設穴の試掘後に湾曲状抵抗板本体と湾曲状安定板とを夫々別個に打設すると共に、所定の地中深度においてこれら抵抗板本体と安定板とを交叉結合させて耐張力を得るようにしたものが提案されている（例えば、特許文献１参照。）。
【先行技術文献】
【特許文献】
【０００３】
【特許文献１】実公平７−３０７４６号公報
【発明の概要】
【発明が解決しようとする課題】
【０００４】
しかし、上述の特許文献１に記載の従来の支線打込アンカでは、抵抗板は地中に打ち込んだ際に十分な抵抗力（耐張力）を得られるよう湾曲させており、その湾曲形状に沿って土中に進入していく。
【０００５】
そのため、特に、埋設穴の切削面積が少ない狭隘部での実施の際は、単一の打撃面（加撃面）への打設作業が次第に困難となり、抵抗板本体を地表面に対して鋭角に打ち込めず、抵抗板本体と安定板とを展開状態に結合しなければ、十分な抵抗力を得られないという問題がある。
【０００６】
また、十分な抵抗力を発揮させるため、抵抗板の曲率を大きくした場合には、抵抗板が地中に大きな曲率で曲がって地表面に対し鋭角に進入していくため、打撃面が一箇所のみで、かつ、切削面積が少ない場合には、この問題が顕著になる。
【０００７】
なお、上述の特許文献１に記載の従来の支線打込アンカでは、湾曲状抵抗板本体と湾曲状安定板とを夫々別個に打設する必要があるため、作業性が悪いという問題もある。
【０００８】
そこで、本発明は、このような問題を解決するためになされたもので、第１には、埋設穴の切削面積が少ない場合でも従来のものより簡単かつ確実にアンカ本体部を地表面に対し鋭角に打ち込むことができ、第２には、さらに抵抗板とは別に安定板の打込みを不要にして作業性を向上させつつより高い耐張力を得ることができる支線打込アンカを提供することを目的とする。
【課題を解決するための手段】
【０００９】
上記課題を解決するため、本発明に係る実施形態の支線打込アンカは、電柱等の地上起立体の倒伏を防止するため、地上起立体と地面とを支線によって連結する場合に打込工具によって打込まれ、地中に埋設される支線打込アンカであって、ロッド部と、アンカ本体部とを有し、前記ロッド部は、前記支線に連結される上部連結部と、前記アンカ本体部に連結される下部連結部とを有する一方、前記アンカ本体部は、外側が凸形状となるように湾曲した抵抗板本体と、その抵抗板本体の内側から起立して設けられ、前記ロッド部の他端部が回転可能に支持された内側補強板と、その抵抗板本体の外側から起立して設けられた外側補強板とを有し、打込工具によって先に打撃される第１打撃部を前記外側補強板に設ける一方、前記第１打撃部の次に打撃される第２打撃部を前記第１打撃部よりも高い位置に設けたことを特徴とする。
ここで、前記第２打撃部は、前記内側補強板の上端部に設けると良い。
また、前記アンカ本体部には、さらに、地中への打込み時には前記アンカ本体部に近接して閉じ状態にあり、地中に埋設され地中から抜ける方向に引っ張られた場合には地中の土砂等が抵抗になって開く可動式抵抗板が設けられていると良い。
また、前記アンカ本体部の外側補強板には、前記抵抗板本体の外側面と前記外側補強板との接合点を中心とし、かつ、円弧側が上部側となる扇形状の扇形開口部が形成されており、前記可動式抵抗板は、その中央にスリットが形成されており、前記扇形開口部に装着した際にはそのスリットが外側補強板に遊嵌して前記扇形開口部に可動式に嵌め付けられており、地中への打込み時には前記アンカ本体部に近接して閉じ、地中に埋設され地中から抜ける方向に引っ張られた場合には地中の土砂等が抵抗になって開くようにするとさらに良い。
【発明の効果】
【００１０】
本発明の支線打込アンカによれば、アンカ本体部には、抵抗板本体と、その抵抗板本体の内側から起立して設けられ、ロッド部の他端部が回転可能に支持された内側補強板と、その抵抗板本体の外側から起立して設けられた外側補強板とを有し、打込工具によって先に打撃される第１打撃部を前記外側補強板に設ける一方、第１打撃部の次に打撃される第２打撃部を第１打撃部よりも高い位置に設けたため、埋設穴の切削面積が少ない場合やアンカ本体部の曲率が大きい場合でも従来のものより簡単かつ確実にアンカ本体部を地表面に対し鋭角に打ち込むことができる。
また、アンカ本体部に地中への打込み時にはアンカ本体部に近接して閉じる一方、地中に埋設され地中から抜ける方向に引っ張られた時には地中の土砂等が抵抗になって開く可動式抵抗板を設けると、抵抗板とは別に安定板の打込みが不要になるので、作業性を向上させつつより高い耐張力を得ることができる。
【図面の簡単な説明】
【００１１】
【図１】本発明に係る支線打込アンカの使用状態を示す正面図である。
【図２】本発明に係る支線打込アンカの斜め上前方から見た斜視図である。
【図３】本発明に係る実施形態の支線打込アンカの斜め上後方から見た斜視図である。
【図４】本発明に係る実施形態の支線打込アンカの斜め下後方から見た斜視図である。
【図５】（ａ）〜（ｄ）それぞれ、本発明に係る実施形態の支線打込アンカの平面図、正面図、右側面図と、可動式抵抗板の平面図である。
【図６】本発明に係る実施形態の支線打込アンカの使用方法の第１段階（埋設穴に挿入した段階）を示す説明図である。
【図７】本発明に係る実施形態の支線打込アンカの使用方法の第２段階（第１打撃部を打撃して地中に打ち込んだ段階）を示す説明図である。
【図８】本発明に係る実施形態の支線打込アンカの使用方法の第３段階（第２打撃部を打撃して地中に打ち込む段階）を示す説明図である。
【図９】本発明に係る実施形態の支線打込アンカの使用方法の第４段階（第２打撃部を打撃して地中に打ち込んだ段階）を示す説明図である。
【図１０】本発明に係る実施形態の支線打込アンカの使用方法の第５段階（埋設穴における地上起立体側の地面を削った段階）を示す説明図である。
【発明を実施するための形態】
【００１２】
以下、本発明に係る実施形態の支線打込アンカ１について、図面を参照して説明する。
【００１３】
（支線打込アンカの構成）
支線打込アンカ１は、図１に示すように電柱等の地上起立体（地上樹立体）２の倒伏を防止するため、地上起立体２と地面３とを支線４によって連結する場合に打込工具５（図５参照。）によって打込まれて地中に埋設されるもので、図２〜図５に示すように、ロッド部１１と、アンカ本体部１２と、ロッド部１１とアンカ本体部１２との連結を中継するＵ字状中継板部１３と、ボルト１４ａおよびナット１４ｂと、可動式抵抗板１５とを備える。
【００１４】
ロッド部１１は、一端部が支線４に連結される一方、他端部はアンカ本体部１２の基部と回動可能に連結される。そのため、ロッド部１１の一端部（上端部）が折り返されて上部連結部１１ａが形成されている一方、ロッド部１１の他端部（下端部）が折り返されてＵ字状中継板部１３が連結される下部連結部１１ｂが形成されている。
【００１５】
アンカ本体部１２は、ロッド部１１の長手方向に対しほぼ垂直な面をなす抵抗板本体１２ａと、その抵抗板本体１２ａの内側に設けられてＵ字状中継板部１３を介しロッド部１１を回転可能に支持してロッド部１１の長手方向に対しほぼ並行な面をなす内側補強板１２ｂと、その抵抗板本体１２ａの外側に設けられ、ロッド部１１の長手方向に対しほぼ並行な面をなす外側補強板１２ｃとを備える。
【００１６】
抵抗板本体１２ａは、ロッド部１１に対しＵ字状中継板部１３を介してロッド部１１を半径とする円周方向に回動可能に連結されている。
【００１７】
抵抗板本体１２ａは、地面３中に打ち込まれて埋設された際、支線４の抵抗を最も受ける部分であるため、ロッド部１１の長手方向に対しほぼ垂直な面を有すると共に、その面は、ほぼロッド部１１を半径とする円周方向に沿って外側に凸形状に突出するように湾曲しており、ロッド部１１の長手方向に対しほぼ垂直な方向で、地面３に対し斜め方向に進入するように構成されている。
【００１８】
内側補強板１２ｂは、外側補強板１２ｃよりも長く、ほぼ抵抗板本体１２ａの先端部から上端部まで延びる長さに形成されて抵抗板本体１２ａに対し垂直に溶接等されて接合されている。
【００１９】
また、内側補強板１２ｂは、先端部は鋭角である一方、上端部にいくほど幅広になりＵ字状中継板部１３がボルト１４ａおよびナット１４ｂにより連結される基部１２ｂ１が形成されており、その基部１２ｂ１に、打込工具５によって打撃される第２打撃部１２ｂ１１を設けている。
【００２０】
また、外側補強板１２ｃは、抵抗板本体１２ａの外側、つまり内側補強板１２ｂとは反対側の側面に設けられるもので、図５（ｂ）等に示すように、抵抗板本体１２ａの先端側の第１外側補強板部１２ｃ１と、その後端側の第２外側補強板部１２ｃ２とからなる２段の鋸刃形状（波形状またはギザギザ形状）で構成されており、先端側の第１外側補強板部１２ｃ１の上端部に、打込工具５によって打撃される第１打撃部１２ｃ１１を設けている。
【００２１】
そのため、外側補強板１２ｃに設けられた第１打撃部１２ｃ１１は、内側補強板１２ｂに設けられた第２打撃部１２ｂ１１よりも、抵抗板本体１２ａの先端側に近い位置に設けられることになる。
【００２２】
ここで、第１打撃部１２ｃ１１および第２打撃部１２ｂ１１は、打込工具５の先端部に設けられたプラス形状の溝やマイナス形状の溝が確実に嵌って、かつ、打撃時に外れ（ズレ）ないように凹形状に切欠いて設けているが、本発明では、第１打撃部１２ｃ１１および第２打撃部１２ｂ１１を凹形状に切欠く必要はなく、直線状でも、あるいは直線状でストッパを設けたり、さらには補強板を溶接する等、適宜変更可能であり、要は、第２打撃部が外側補強板１２ｃに設けた第１打撃部１２ｃ１１の位置よりも高い位置に設けられていれば良い。
【００２３】
また、外側補強板１２ｃの第１外側補強板部１２ｃ１には、中心を抵抗板本体１２ａの外側面と外側補強板１２ｃとの接合点を中心とし、かつ、円弧側が上部側（上端部）となる扇形状の扇形開口部１２ｃ１２が設けられており、この扇形開口部１２ｃ１２に可動式抵抗板１５を取り付けている。なお、後述するように扇形開口部１２ｃ１２および可動式抵抗板１５は、本発明に必須のものではなく、省略することもできる。
【００２４】
可動式抵抗板１５は、図５（ｄ）に示すようにその中央にスリット１５ａが形成されており、扇形開口部１２ｃ１２に装着した際にはそのスリット１５ａが外側補強板１２ｃの第１外側補強板部１２ｃ１に遊嵌して扇形開口部１２ｃ１２に可動式に嵌め付けられる。
【００２５】
そのため、可動式抵抗板１５は地中への打込み時にはアンカ本体部１２に近接して閉じ、地面３中に埋設され地面３中から抜ける方向に引っ張られた場合には、地面３中の土砂等が抵抗になって開くように動作する。
【００２６】
（支線打込アンカの使用方法）
次に、以上のように構成された本実施形態の支線打込アンカ１の使用方法について説明する。
【００２７】
まず、図６に示すように支線打込アンカ１を埋設するため、支線打込アンカ１のアンカ本体部１２を収める埋設穴３２を地面３に掘り、その後、その埋設穴３２に支線打込アンカ１のアンカ本体部１２を挿入する。
【００２８】
次いで、図６に示すようにアンカ本体部１２の外側補強板１２ｃに設けられた第１打撃部１２ｃ１１に対し打込工具５の先端部を合わせて、打込工具５により第１打撃部１２ｃ１１を打撃して、アンカ本体部１２を半分ほど地面３に打ち込む。
【００２９】
すると、アンカ本体部１２は外側が凸形状になるように湾曲しているため、図７に示すようにその先端から地表面３１に対し傾斜した状態で進入していく。
【００３０】
そのため、外側補強板１２ｃの第１外側補強板部１２ｃ１の上端部に設けられた第１打撃部１２ｃ１１も、鉛直方向ではなく斜め方向に進んで、抵抗板本体１２ａの上端部よりもロッド部１１に近い方へ移動していく。
【００３１】
すると、図７に示すように支線打込アンカ１のアンカ本体部１２が半分ほど地面３に打ち込まれ段階で、打込工具５がアンカ本体部１２の抵抗板本体１２ａに当たって打込工具５の先端部によって第１打撃部１２ｃ１１を打撃することが困難になる。
【００３２】
そのため、作業者は図７の実線で示すように打込工具５の先端部を第１打撃部１２ｃ１１から離して、図７の２点鎖線および図８に示すように第１打撃部１２ｃ１１よりも高い位置である内側補強板１２ｂの上端部（上端部）に設けられた第２打撃部１２ｂ１１に打込工具５の先端部を当接して打撃を継続する。
【００３３】
すると、図８に示すように、第１外側補強板部１２ｃ１上端部に設けられた第１打撃部１２ｃ１１とは異なり、内側補強板１２ｂの上端部（上端部）に設けられた第２打撃部１２ｂ１１は、打込工具５による打撃を邪魔するものがないため、打込工具５の先端部で第２打撃部１２ｂ１１を打撃して、図９に示すように地面３中に支線打込アンカ１のアンカ本体部１２を打ち込むことができる。
【００３４】
そして、この支線打込アンカ１と地上起立体２とを図１に示すように支線４によって連結して地上起立体２を支持する場合には、支線打込アンカ１のロッド部１１は地上起立体２側に傾斜させる必要があるため、図１０に示すようにロッド部１１が斜めに傾斜できるよう、ロッド部１１が当たる埋設穴３２の部分を筋掘りする。その後、この埋設穴３２を埋めて完了する。
【００３５】
従って、本実施形態の支線打込アンカ１によれば、第１打撃部１２ｃ１１を外側補強板１２ｃに設ける一方、第１打撃部１２ｃ１１の次に打撃される第２打撃部１２ｂ１１を第１打撃部１２ｃ１１よりも高い位置に設けたため、埋設穴３２の切削面積が少ない場合やアンカ本体部１２の曲率が大きい場合でも、従来のものよりも簡単かつ確実にアンカ本体部１２を地表面３１に対し鋭角に打ち込むことができる。
【００３６】
特に、本実施形態の支線打込アンカ１では、第２打撃部１２ｂ１１を第１打撃部１２ｃ１１よりも高い位置である内側補強板１２ｂの上端部である基部１２ｂ１に設けたため、先に第１外側補強板部１２ｃ１の第１打撃部１２ｃ１１を打込工具５によって打撃する一方、その後に内側補強板１２ｂの第２打撃部１２ｂ１１を打撃することにより、埋設穴３２の内径が小さい場合でも、アンカ本体部１２を地表面３１に対しより鋭角に打ち込むことができる。
【００３７】
その結果、アンカ本体部１２の抵抗板本体１２ａ等の曲率も大きくして、地表面３１に対しより鋭角に打ち込むことが可能になり、より十分な抵抗力（耐張力）を得ることができる。
【００３８】
また、本実施形態の支線打込アンカ１では、アンカ本体部１２に地面３中への打込み時には可動式抵抗板１５がアンカ本体部１２に近接して閉じる一方、地面３中に埋設され地面３から抜ける方向に引っ張られた時には地面３中の土砂等が抵抗になって可動式抵抗板１５が開くため、抵抗板とは別に安定板の打込みが不要になり、作業性を向上させつつより高い耐張力を得ることができる。
【００３９】
なお、上記実施形態の説明では、外側補強板１２ｃの第１外側補強板部１２ｃ１に扇形状の扇形開口部１２ｃ１２を設け、この扇形開口部１２ｃ１２に可動式抵抗板１５を取り付けて説明したが、本発明では、これに限らず、抜け易くなるものの、可動式抵抗板１５と扇形開口部１２ｃ１２を省略しても良い。
【００４０】
また、上記実施形態の説明では、可動式抵抗板１５を、外側補強板１２ｃの第１外側補強板部１２ｃ１に形成した扇形開口部１２ｃ１２に回動可能に設けて説明したが、本発明では、これに限らず、第２外側補強板部１２ｃ２に扇形開口部を設けて同様に可動式抵抗板１５を回動可能に設けても良いし、さらには、扇形開口部１２ｃ１２を設けずに回転ピン等により外側補強板１２ｃに回動可能に設けても良いし、外側補強板１２ｃでなく内側補強板１２ｂや、さらには、上述のように可動式抵抗板１５が抵抗板本体１２ａに対し開閉するのではなく、外側補強板１２ｃまたは内側補強板１２ｂに対し開閉するように開口部やピン、回転軸などを介して取り付けても勿論良い。
【００４１】
また、上記実施形態の説明では、第１外側補強板部１２ｃ１の上端部に第１打撃部１２ｃ１１を設ける一方、内側補強板１２ｂの基部１２ｂ１に第２打撃部１２ｂ１１を設けて説明したが、本発明ではこれに限らず、例えば、第２外側補強板部１２ｃ２やアンカ本体部１２の上端部に第２打撃部１２ｂ１１を設けても良い。つまり、本発明では、第１打撃部１２ｃ１１を外側補強板１２ｃに設ける一方、第１打撃部１２ｃ１１の次に打撃される第２打撃部１２ｂ１１を第１打撃部１２ｃ１１よりも高い位置に設ければ十分であり、打撃部の数も第１打撃部と第２打撃部の２つに限らず、３つ以上の打撃部を設けることもできる。
【符号の説明】
【００４２】
１  支線打込アンカ
１１  ロッド部
１１ａ  上部連結部
１１ｂ  下部連結部
１２  アンカ本体部
１２ａ  抵抗板本体
１２ｂ  内側補強板
１２ｂ１  基部
１２ｂ１１  第２打撃部
１２ｃ  外側補強板
１２ｃ１  第１外側補強板部
１２ｃ１１  第１打撃部１２ｃ１１
１２ｃ１２  扇形開口部
１２ｃ２  第２外側補強板部
１２ｃ２  扇形開口部
１３  Ｕ字状中継板部
１４ａ  ボルト
１４ｂ  ナット
１５  可動式抵抗板
３  地面
３１  地表面
３２  埋設穴
４  支線
５  打込工具
【図１】
2015214847.tif 000003
【図２】
2015214847.tif 000004
【図３】
2015214847.tif 000005
【図４】
2015214847.tif 000006
【図５】
2015214847.tif 000007
【図６】
2015214847.tif 000008
【図７】
2015214847.tif 000009
【図８】
2015214847.tif 000010
【図９】
2015214847.tif 000011
【図１０】
2015214847.tif 000012